(57)【要約】      （修正有）【課題】本考案は、筆記シートと複写シートを容易に識別できる複写機能を備える自己粘着性付箋を提供する。【解決手段】本考案の複写機能を備える自己粘着性付箋１００は、積層体２００を含む。積層体２００は、互いに積層された複数の積層ユニット１１０を含む。積層体２００は、粘着領域１４０を備える。積層ユニット１１０は、粘着領域１４０で互いに貼り付き合う。各積層ユニット１１０は、複写シート１２０および筆記シート１３０を含む。筆記シート１３０の粘着領域１４０における部分は、複写シート１２０上に貼り付く。筆記シート１３０および複写シート１２０の外観は異なる。【選択図】図１
0003209646.tif 000002
【実用新案登録請求の範囲】
【請求項１】
相互に積層された複数の積層ユニットを含み、粘着領域を有し、前記複数の積層ユニットが前記粘着領域の部分において互いに貼り付き合い、各前記積層ユニットが、
複写シートと、
前記粘着領域の部分において前記複写シート上に粘着し、前記複写シートと外観が異なる筆記シートと、
を含む、積層体を含む複写機能を備える自己粘着性付箋。
【請求項２】
前記筆記シートの基本重量が、５０ｇ／ｍ２である請求項１に記載の自己粘着性付箋。
【請求項３】
前記複写シートの基本重量が、８０ｇ／ｍ２である請求項１に記載の自己粘着性付箋。
【請求項４】
前記筆記シートの色が、黄色または青色である請求項１に記載の自己粘着性付箋。
【請求項５】
前記複写シートの色が、白色である請求項１に記載の自己粘着性付箋。
【請求項６】
前記筆記シート上にパターンが印刷されている請求項１に記載の自己粘着性付箋。
【請求項７】
前記筆記シートの前記粘着領域における部分は、パターンが印刷されていない請求項６に記載の自己粘着性付箋。
【請求項８】
さらに底板を含み、前記積層体が、前記底板上に配置される請求項１に記載の自己粘着性付箋。
【請求項９】
前記底板の長さが、前記積層体の長さより長く、且つ前記底板の前記積層体をはみ出す部分は、パターンが印刷されている請求項８に記載の自己粘着性付箋。
【請求項１０】
前記底板が、ルーズリーフ式底板であり、ルーズリーフ式ノートに加えることに用いられ、前記ルーズリーフ式底板の長さと幅は、前記積層体の長さと幅よりも長く、且つ前記ルーズリーフ式底板の前記積層体をはみ出す部分は、パターンが印刷されている請求項８に記載の自己粘着性付箋。
【請求項１１】
前記底板が、前記積層体を包み挟む綴じカバーである請求項８に記載の自己粘着性付箋。
【請求項１２】
前記綴じカバーの折り曲げ領域は、少なくとも１つの折り曲げ線を有する請求項１１に記載の自己粘着性付箋。
【請求項１３】
前記積層体を包装することに用いられる包装袋をさらに含む請求項１に記載の自己粘着性付箋。
【請求項１４】
透明ケースと、
前記透明ケースと接続し、前記積層体を包装する包装紙板と、
をさらに含む請求項１に記載の自己粘着性付箋。
【請求項１５】
前記複写シートおよび前記筆記シートの材質が、紙またはプラスチックである請求項１に記載の自己粘着性付箋。
【考案の詳細な説明】
【技術分野】
【０００１】
本考案は、自己粘着性付箋に関するものであり、特に、複写機能を備える自己粘着性付箋に関するものである。
【背景技術】
【０００２】
現代社会において、人々の生活は忙しく、自己粘着性付箋は、互いに会って話しをする時間がない場合に情報や心情を伝えることに役立ち、重要な情報または残しておきたいリアルタイムな感情を手軽に書き留めておくことにも便利である。また小面積の自己粘着性付箋は、パルプの使用を減少することもできて環境保護に貢献している。したがって、自己粘着性付箋は、大衆から常に広く使用されている文具用品である。しかしながら、大量の情報を伝えるか、または同じメッセージを多くの相手に伝えることが必要である場合、使用者は、多くの自己粘着性付箋に重複したメッセージを書く必要があり、時間を消耗し、労力を費やす。一般の複写シートを使用して情報を伝えることを選択する場合、各処に便利に貼り付けられる自己粘着性の機能に欠き、非常に不便である。一方で、筆記頁と複写頁の外観が同じである場合、使用者は、筆記頁と複写頁を識別しなければならず、不便であるということのみならず、多くの貴重な時間を浪費する。
【考案の概要】
【考案が解決しようとする課題】
【０００３】
本考案は、使用者が筆記シートと複写シートを容易に識別することができる複写機能を備える自己粘着性付箋を提供する。
【課題を解決するための手段】
【０００４】
本考案の自己粘着性付箋は、積層体を含む。積層体は、互いに積層された複数の積層ユニットを含む。積層体は、粘着領域を有する。積層ユニットは、粘着領域の部分において互いに貼り付き合う。各積層ユニットは、複写シートおよび筆記シートを含む。筆記シートは、粘着領域の部分において、複写シート上に貼り付く。筆記シート及び複写シートの外観は異なる。
【０００５】
本考案の1つの実施形態において、上記の筆記シートの基本重量は、５０ｇ／ｍ２である。
【０００６】
本考案の1つの実施形態において、上記の複写シートの基本重量は、８０ｇ／ｍ２である。
【０００７】
本考案の1つの実施形態において、上記の筆記シートの色は、黄色または青色である。
【０００８】
本考案の1つの実施形態において、上記の複写シートの色は、白色である。
【０００９】
本考案の1つの実施形態において、上記の筆記シート上には、パターンが印刷されている。
【００１０】
本考案の1つの実施形態において、上記の筆記シートの粘着領域における部分は、パターンが印刷されていない。
【００１１】
本考案の1つの実施形態において、上記の自己粘着性付箋は、さらに、底板を含み、積層体は、底板の上に配置される。
【００１２】
本考案の1つの実施形態において、上記の底板の長さは、積層体の長さよりも長く、且つ底板の積層体をはみ出す部分は、パターンが印刷されている。
【００１３】
本考案の1つの実施形態において、上記の底板は、ルーズリーフ式底板であり、ルーズリーフ式ノートに加えることに用いられ、ルーズリーフ式底板の長さおよび幅は、積層体の長さおよび幅よりも長く、且つルーズリーフ式底板の積層体をはみ出す部分は、パターンが印刷されている。
【００１４】
本考案の1つの実施形態において、上記の底板は、積層体を包み挟む綴じカバーである。
【００１５】
本考案の1つの実施形態において、上記の綴じカバーの折り曲げ領域は、少なくとも１つの折り曲げ線を有する。
【００１６】
本考案の1つの実施形態において、上記の自己粘着性付箋は、さらに、包装袋を含み、該積層体の包装に用いられる。
【００１７】
本考案の1つの実施形態において、上記の自己粘着性付箋は、さらに、透明ケースおよび包装紙板を含み、包装紙板は、透明ケースと接続し、積層体を包装する。
【００１８】
本考案の1つの実施形態において、上記の複写シートおよび筆記シートの材質は、紙またはプラスチックである。
【考案の効果】
【００１９】
上記に基づき、本考案の自己粘着性付箋において、筆記シートおよび複写シートの外観は異なり、使用者は容易に筆記シートおよび複写シートの外観を識別することができる。
【図面の簡単な説明】
【００２０】
【図１】本考案の第１実施形態に係る自己粘着性付箋の概略図である。
【図２】（ａ）〜（ｃ）は、本考案の第１実施形態に係る自己粘着性付箋の使用方法の概略図である。
【図３】本考案の第２実施形態に係る自己粘着性付箋の概略図である。
【図４】本考案の第３実施形態に係る自己粘着性付箋の概略図である。
【図５】本考案の第４実施形態に係る自己粘着性付箋の概略図である。
【図６】本考案の第５実施形態に係る自己粘着性付箋の概略図である。
【図７】本考案の第６実施形態に係る自己粘着性付箋の概略図である。
【図８】本考案の第７実施形態に係る自己粘着性付箋の概略図である。
【図９】本考案の第８実施形態に係る自己粘着性付箋の概略図である。
【考案を実施するための形態】
【００２１】
本考案の上記特徴および利点をより分かり易くするため、図面と併せた幾つかの実施形態を以下に説明する。
【００２２】
図１は、本考案の第１実施形態の自己粘着性付箋の概略図である。図１を参照すると、本実施形態の自己粘着性付箋１００は、積層体２００を含む。積層体２００は、互いに積層された複数の積層ユニット１１０を含む。積層体２００は、粘着領域１４０を有し、積層ユニット１１０は、粘着領域１４０の部分において互いに貼り付き合う。各積層ユニット１１０は、複写シート１２０および筆記シート１３０を含み、筆記シート１３０の粘着領域１４０における部分は、複写シート１２０上に貼り付いている。言い換えるならば、これらの積層ユニット１１０は、粘着領域１４０上に塗布された粘着性を有する材質、例えば粘着剤によって、互いに貼り付き合って積層体２００になる。積層ユニット１１０中の筆記シート１３０または複写シート１２０を積層体２００から剥がした後、筆記シート１３０または複写シート１２０の裏面が粘着領域１４０の位置において依然として粘着性を有しており、したがって、任意の物品上に繰り返し貼り付けることができ、異なる場所に繰り返し貼り付けることに有利である。その他の実施形態において、積層ユニット１１０中の複写シート１２０の枚数は、複数にすることもできる。言い換えるならば、積層体２００中の各積層ユニット１１０は、一枚の筆記シート１３０および一枚の複写シート１２０を有する。または、各積層ユニット１１０は、一枚の筆記シート１３０および複数枚の複写シート１２０を有し、これによって、使用者は、一度記入しただけで、複数枚の写しを得られるが、本考案はこれに限定するものではない。
【００２３】
一方で、本実施形態の筆記シート１３０および複写シート１２０の外観は、異なり、これら外観の相違は、例えば、色が異なる、印刷が異なる、色および印刷が何れも異なる、またはその他の形態の外観の差異であるが、本考案はこれに限定するものではない。したがって、本実施形態の自己粘着性付箋１００は、使用者に自己粘着性付箋を利用して文字を記録または複写させることができる以外に、使用者が筆記シート１３０と複写シート１２０を容易に識別して間違って使用することがないようにすることができる。
【００２４】
本実施形態の自己粘着性付箋１００の適用規格について、積層体２００の長さは、４インチが好ましく、幅は３インチが好ましく、勿論、必要に応じて積層体２００の外観サイズを変更することもでき、本考案はこれに限定するものではない。筆記シート１３０および複写シート１２０の材質は紙であることができ、異なる基本重量の紙を利用して別々に製作することにより、筆記シート１３０と複写シート１２０に質感上の区別をもたせ、使用者に容易に識別させることができる。筆記シート１３０の基本重量は、５０ｇ／ｍ２が好ましく、複写シート１２０の基本重量は、８０ｇ／ｍ２が好ましいが、本考案は、これに限定するものではない。例を挙げると、本実施形態の積層体２００は、２０個の積層ユニット１１０が積層して成ることができ、即ち、２０枚の筆記シート１３０と２０枚の複写シート１２０を共に有するか、またはその他の複写シート１２０の枚数は、筆記シート１３０の組み合わせよりも多いということであるが、本考案はこれに限定するものではない。このほか、使用者が筆記シート１３０と複写シート１２０を容易に識別できるように、筆記シート１３０の色は、黄色、青色、またはその他の比較的鮮明な色であり、複写シート１２０の色は、白またはその他の比較的淡い色が好ましいが、本考案はこれに限定するものではない。本実施形態の自己粘着性付箋１００は、さらに、積層体２００の下側に配置される底板３００を含み、積層体２００の外観を維持する。その他の実施形態中において、複写シート１２０および筆記シート１３０の材質は、プラスチックまたはその他の記入可能な非紙材質であることができ、即ち、複写シート１２０および筆記シート１３０の材質は、例えば、複写又は筆記に便利なプラスチック薄膜であることができるが、本考案は、これに限定するものではない。
【００２５】
図２（ａ）〜（ｃ）は、本考案実施形態の自己粘着性付箋の使用方法の概略図である。図２（ａ）〜（ｃ）を参照すると、本実施形態の自己粘着性付箋１００を使用する場合、図２（ａ）に示すように、使用者は、伝えたいメッセージを筆記シート１３０Ａ上に書くことができる。また、すでに記入済みの筆記シート１３０Ａを下側の複写シート１２０から剥し、使用者は、図２（ｂ）に示すように、先程記入したメッセージがすでに複写シート１２０上に複写されていることを分かることができる。一方で、前記の剥された筆記シート１３０Ａは、使用者の必要に応じて、異なる場所に貼り付けるまたは残しておくこともできる。続いて、使用者は、メッセージが複写された複写シート１２０を剥がして使用することができ、下方の未記入の筆記シート１３０Ｂに新しいメッセージを書くことができる。前記の剥がされた筆記シート１３０Ａと同様に、剥がされた複写シート１２０は、図２（ｃ）に示すように、使用者の必要に応じて異なる場所に貼り付けるまたは残しておくこともできる。
【００２６】
図３は、本考案の第２実施形態の自己粘着性付箋の概略図である。図３を参照すると、本実施形態の自己粘着性付箋１００Ａは、図１の自己粘着性付箋１００に類似しているが、両者の間の主要な差異は、自己粘着性付箋１００Ａの筆記シート１３２上に、平行線、グリッドまたはその他のパターンなどのパターンＰが印刷されていることにあり、使用者に記入時にパターンに基づいて字体の整然度を調整させることができ、また広告スペースまたは単純に楽しみを提供するパターンとすることもできる。筆記シート１３２上端に位置する粘着領域１４０の部分は、粘着領域１４０に良好な粘性を保持させるようにパターンを印刷しないことができる。
【００２７】
図４は、本考案の第３実施形態の自己粘着性付箋の概略図である。図４を参照すると、本実施形態の自己粘着性付箋１００Ｂは、図１の自己粘着性付箋１００に類似しているが、両者の主要な差異は、自己粘着性付箋１００Ｂの底板３００Ａの長さが、積層体２００の長さよりも長いことにある。言い換えると、底板３００Ａの一部分は、積層体２００に覆われず、底板３００Ａの積層体２００をはみ出す部分は、パターンＰを印刷することに用いられ、同様に、広告スペースまたは単純に楽しみを提供するパターンとすることができる。
【００２８】
図５は、本考案の第４実施形態の自己粘着性付箋の概略図である。図５を参照すると、本実施形態の自己粘着性付箋１００Ｃは、図４の自己粘着性付箋１００Ｂに類似しているが、両者の主要な差異は、自己粘着性付箋１００Ｃの底板が、ルーズリーフ式底板３１０であるということにある。したがって、使用者は、ルーズリーフ式底板３１０を利用し、個人のルーズリーフ式ノートに自己粘着性付箋１００Ｃを加え、ルーズリーフ式ノートの機能を増やすことができる。ルーズリーフ式底板３１０の長さと幅は、積層体２００の長さと幅よりも長く、故に、積層体２００のルーズリーフ式底板３１０をはみ出す部分は、パターンＰを印刷できる。
【００２９】
図６は、本考案の第５実施形態の自己粘着性付箋の概略図である。図６を参照すると、本実施形態の自己粘着性付箋１００Ｄは、図１の自己粘着性付箋１００と類似しているが、両者の主要な差異は、以下にある。自己粘着性付箋１００Ｄの底板が、積層体２００を包み挟む綴じカバー３２０である。綴じカバー３２０の折り曲げ領域３２２は、少なくとも1つの折り曲げ線３２４を有し、使用者に綴じカバー３２０を折り曲げ線３２４に沿って折り曲げさせ、未使用の積層体２００を包み挟ませる。折り曲げ領域３２２の折り曲げ線３２４の数は、設計要求に応じて調整することができる。複数の折り曲げ線の設計を採用する場合、使用者は、積層体２００の厚さに基づき適切な折り曲げ線を選択することにより、綴じカバー３２０の上下両面に平行を保持させて良好な外観を保持させることができる。
【００３０】
図７は、本考案の第６実施形態の自己粘着性付箋の概要図である。図７を参照すると、本実施形態の自己粘着性付箋１００Ｅは、図６の自己粘着性付箋１００Ｅに類似しているが、両者の主要な差異は、自己粘着性付箋１００Ｅの綴じカバー３２０Ａおよび積層体２００には、パターンＰが印刷されていることにある。
【００３１】
図８は、本考案の第７実施形態の自己粘着性付箋の概略図である。図８を参照すると、本実施形態の自己粘着性付箋１００Ｆは、図４の自己粘着性付箋１００Ｂに類似しているが、両者の主要な差異は、自己粘着性付箋１００Ｆが、さらに包装袋４００を含み、積層体２００は包装袋４００によって包装し、積層体２００が外部環境から汚染されるのを防止することにある。包装袋４００もパターンＰを印刷できる。
【００３２】
図９は、本考案の第８実施形態の自己粘着性付箋の概略図である。図９を参照すると、本実施形態の自己粘着性付箋１００Ｇは、図８の自己粘着性付箋１００Ｆと類似しているが、両者の主要な差異は、自己粘着性付箋１００Ｇが、さらに、透明ケース５００および包装紙板６００を含むことである。透明ケース５００および包装紙板６００は接続し、積層体２００は透明ケース５００によって包装し、積層体２００が外力を受けて破損または変形するのを防止する。包装紙箱６００にもパターンＰを印刷できる。
【００３３】
以上のことから、本考案の自己粘着性付箋において、筆記シートおよび複写シートの外観は異なり、使用者に筆記シートおよび複写シートを迅速に識別させ、時間を節約させることができる。筆記シート上に印刷されたパターンは、使用者に記入において字体を整えさせること、または製品の美観性を向上することができる。また、底板の設計は、使用者の異なる要求に応じて、ルーズリーフ式底板または綴じカバーに変更でき、自己粘着性付箋に多機能な用途をもたせることができる。
【００３４】
以上のごとく、この考案を実施形態により開示したが、もとより、この考案を限定するためのものではなく、当業者であれば容易に理解できるように、この考案の技術思想の範囲内において、適当な変更ならびに修正が当然なされうるものであるから、その特許権保護の範囲は、特許請求の範囲および、それと均等な領域を基準として定めなければならない。
【産業上の利用可能性】
【００３５】
本考案は、複写機能を備える自己粘着性付箋に適用することができる。
【符号の説明】
【００３６】
１００、１００Ａ、１００Ｂ、１００Ｃ、１００Ｄ、１００Ｅ、１００Ｆ、１００Ｇ  自己粘着性付箋
１１０  積層ユニット
１２０  複写シート
１３０、１３０Ａ、１３０Ｂ、１３２  筆記シート
１４０  粘着領域
２００  積層体
３００  底板
３１０  ルーズリーフ式底板
３２０、３２０Ａ  綴じカバー
３２２  折り曲げ領域
３２４  折り曲げ線
４００  包装袋
５００  透明ケース
６００  包装紙板
Ｐ  パターン
【図１】
0003209646.tif 000003
【図２】
0003209646.tif 000004
【図３】
0003209646.tif 000005
【図４】
0003209646.tif 000006
【図５】
0003209646.tif 000007
【図６】
0003209646.tif 000008
【図７】
0003209646.tif 000009
【図８】
0003209646.tif 000010
【図９】
0003209646.tif 000011